(57)【特許請求の範囲】
【請求項１】
偏平直方体からなる板材と、
板材と板材を所定角度で連結する連結手段とからなり、
前記連結手段は、連結杆、係合部材、化粧部材及び締結ボルトとからなり、
前記板材の連結側端面と前記連結杆の連結面を接合した状態で、前記係合部材を前後両側から前記板材と連結杆に同時にスライド係合させて該板材と連結杆を引き離し方向への変位を規制し、前記連結杆の両端に前記化粧部材を前記締結ボルトで締結して前記係合部材のスライド変位を規制してなることを特徴とする板材と板材の連結構造。
【請求項２】
前記板材の連結側端面の両端部に、それぞれ該連結側端面の長手方向に延び且つ板材の前後側端面に開放したアリ溝を形成し、
前記連結杆は、前記板材の連結側端面に接合する連結面を複数所定角度で備え、各連結面の中央部には長手方向へ延びた係合溝を有するとともに、両端の中央部には螺孔を有し、
前記係合部材は、前記連結杆の係合溝に前記連結面から離れる方向への変位を規制してスライド係合する係合部と、前記板材のアリ溝に係合するアリ部とを有し、
前記化粧部材は、前記連結杆の端部を覆う本体部に、前記板材のアリ溝に係合するアリ状突起を所定数突設するとともに、本体部の中央部に前記締結ボルトを挿通する取付孔を形成し、
前記板材の連結側端面と前記連結杆の連結面を接合し、前記係合部材の係合部を前記連結杆の係合溝に、前記係合部材のアリ部を前記板材のアリ溝に同時に係合させた状態で、前記連結杆の両端部に前記化粧部材を配置し、前記アリ状突起を各板材のアリ溝に係合させるとともに、該化粧部材の取付孔に挿通した前記締結ボルトを前記連結杆の螺孔に螺合して前後から締結してなる請求項１記載の板材と板材の連結構造。
【請求項３】
前記連結杆は、前記板材の連結側端面の横幅と略一致する横幅を有する連結面を４面有する四角柱形状の押出し型材であり、各連結面には開口縁に内向きに突条が張り出した形状の前記係合溝を有し、断面の中央部には断面Ｃ字孔部を形成して前記螺孔を形成してなる請求項２記載の板材と板材の連結構造。
【請求項４】
前記連結杆の長さは、両端に前記化粧部材を締結した状態で前記板材の連結側端面の長さに略一致するように設定するとともに、前記係合部材の長さは、前記板材のアリ溝の終端部までアリ部を係合した状態で、前記連結杆の端部に締結した前記化粧部材のアリ状突起に圧接するように設定してなる請求項２又は３記載の板材と板材の連結構造。
【請求項５】
請求項１〜４何れか１項に記載の板材と板材の連結構造を用い、複数の板材を前記連結手段によって縦横に連結して正面視四角形の収納空間を上下左右に連設してなる組立式棚装置。
【発明の詳細な説明】
【技術分野】
【０００１】
本発明は、板材と板材の連結構造及びそれを用いた組立式棚装置に係わり、更に詳しくは板材を縦横に連結して上下左右に物品収納や商品展示をすることが可能な収納空間を設ける組立式棚装置に関するものである。
【背景技術】
【０００２】
従来から、木製家具において、板材と板材の連結は、木製ダボ等で接着剤を使い緊結するか、若しくは固定金具を使って緊結していた。しかし、木製ダボによる接着構造の場合は、分解は不可能であり、一方、固定金具を活用すると使用面に金具が露出したり使い勝手が非常に悪いといった課題がある。
【０００３】
このような課題解決のために、板材やパイプを連結部材で上下左右に連結して組み立て、正面視四角形の収納空間を有する収納棚や陳列棚を構成するものが各種提供されている。ここで、板材の種類としては、木質系ボード、合成樹脂製ボード、金属メッシュ板等が存在する。木質系ボードには、無垢材やフラッシュボード、中質繊維板等が挙げられる。
【０００４】
特許文献１には、複数の板材を、交点部材を介して左右上下に嵌合するとともに、該交点部材の両端部に嵌合した連結部材で板材の抜け止めして連結する構造の組立棚が開示されている。更に詳しくは、両端部に差込突起または差込部を有した複数の板材と、これらの板材の前記差込突起が差し込まれる差込部、または前記板材の差込部に差し込まれる差込突起を有した複数の交点部材と、これらの交点部材を介して複数の前記板材の固定を行う複数の連結部材とからなる組立棚であって、前記各連結部材に形成した各係止突起を各板材に形成した各係止部に係止したとき、前記各交点部材と各板材との係合を保持するようにしたことを特徴とする組立棚が開示されている。
【０００５】
しかし、特許文献１に記載の組立棚は、板材の端部を交点部材の長手方向の側面に側方から嵌合し、連結部材は交点部材の前後端部に前後方向から嵌合する必要があり、特に板材と交点部材の嵌合には左右あるいは上下の変位を伴って差込部に差込突起を差し込む動作が生じ、そのため組立時や分解時に嵌合部に無理な力が加わり、破損する恐れがあるので、慎重な組立、分解作業が要求される。
【０００６】
尚、板材が合成樹脂製の成形品であれば、端部の嵌合構造が多少複雑でも製造コストはあまり高くならないが、木質系板材の場合には端部の加工工数が増えると大幅なコスト高となるので、可能な限り単純な構造にする必要があるが、その場合には前述のアングル金具等の固定金具や木ネジが露出する問題や、何よりも組立・分解に手間がかかるという問題がある。
【先行技術文献】
【特許文献】
【０００７】
【特許文献１】特開２０１４−０６４６５８号公報
【発明の概要】
【発明が解決しようとする課題】
【０００８】
そこで、本発明が前述の状況に鑑み、解決しようとするところは、連結手段を介して板材と板材を強固且つ容易に連結可能且つ容易に分離可能である板材と板材の連結構造を提供するとともに、その連結構造を用いて複数の板材を縦横に連結して正面視四角形の収納空間を上下左右に連設可能であり、板材の構造を単純にしてコスト低減化を図り、連結手段による組立・分解作業が容易であり、また連結手段が板材から突出することがなく、外観的にもすっきりとしたものになる組立式棚装置を提供する点にある。
【課題を解決するための手段】
【０００９】
本発明は、前述の課題解決のために、偏平直方体からなる板材と、板材と板材を所定角度で連結する連結手段とからなり、前記連結手段は、連結杆、係合部材、化粧部材及び締結ボルトとからなり、前記板材の連結側端面と前記連結杆の連結面を接合した状態で、前記係合部材を前後両側から前記板材と連結杆に同時にスライド係合させて該板材と連結杆を引き離し方向への変位を規制し、前記連結杆の両端に前記化粧部材を前記締結ボルトで締結して前記係合部材のスライド変位を規制してなることを特徴とする板材と板材の連結構造を構成した（請求項１）。
【００１０】
具体的には、前記板材の連結側端面の両端部に、それぞれ該連結側端面の長手方向に延び且つ板材の前後側端面に開放したアリ溝を形成し、前記連結杆は、前記板材の連結側端面に接合する連結面を複数所定角度で備え、各連結面の中央部には長手方向へ延びた係合溝を有するとともに、両端の中央部には螺孔を有し、前記係合部材は、前記連結杆の係合溝に前記連結面から離れる方向への変位を規制してスライド係合する係合部と、前記板材のアリ溝に係合するアリ部とを有し、前記化粧部材は、前記連結杆の端部を覆う本体部に、前記板材のアリ溝に係合するアリ状突起を所定数突設するとともに、本体部の中央部に前記締結ボルトを挿通する取付孔を形成し、前記板材の連結側端面と前記連結杆の連結面を接合し、前記係合部材の係合部を前記連結杆の係合溝に、前記係合部材のアリ部を前記板材のアリ溝に同時に係合させた状態で、前記連結杆の両端部に前記化粧部材を配置し、前記アリ状突起を各板材のアリ溝に係合させるとともに、該化粧部材の取付孔に挿通した前記締結ボルトを前記連結杆の螺孔に螺合して前後から締結してなることが好ましい（請求項２）。
【００１１】
更に、前記連結杆は、前記板材の連結側端面の横幅と略一致する横幅を有する連結面を４面有する四角柱形状の押出し型材であり、各連結面には開口縁に内向きに突条が張り出した形状の前記係合溝を有し、断面の中央部には断面Ｃ字孔部を形成して前記螺孔を形成してなることが好ましい（請求項３）。
【００１２】
そして、前記連結杆の長さは、両端に前記化粧部材を締結した状態で前記板材の連結側端面の長さに略一致するように設定するとともに、前記係合部材の長さは、前記板材のアリ溝の終端部までアリ部を係合した状態で、前記連結杆の端部に締結した前記化粧部材のアリ状突起に圧接するように設定してなるとより好ましい（請求項４）。
【００１３】
また、本発明は、前述の請求項１〜４何れか１項に記載の板材と板材の連結構造を用い、複数の板材を前記連結手段によって縦横に連結して正面視四角形の収納空間を上下左右に連設してなる組立式棚装置を構成した（請求項５）。
【発明の効果】
【００１４】
以上にしてなる請求項１に係る発明の板材と板材の連結構造は、偏平直方体からなる板材と、板材と板材を所定角度で連結する連結手段とからなり、前記連結手段は、連結杆、係合部材、化粧部材及び締結ボルトとからなり、前記板材の連結側端面と前記連結杆の連結面を接合した状態で、前記係合部材を前後両側から前記板材と連結杆に同時にスライド係合させて該板材と連結杆を引き離し方向への変位を規制し、前記連結杆の両端に前記化粧部材を前記締結ボルトで締結して前記係合部材のスライド変位を規制してなるので、板材の連結と分離が簡単であり、連結状態が強固であるとともに、板材の連結部における連結手段の露出を最小限に抑制することができ、板材の連結・分離作業時に板材の端部に無理な力が加わらないので、板材や連結手段の破損を防止できる。
【００１５】
請求項２によれば、前記板材の連結側端面と前記連結杆の連結面を接合し、前記係合部材の係合部を前記連結杆の係合溝に、前記係合部材のアリ部を前記板材のアリ溝に同時に係合させた状態で、前記連結杆の両端部に前記化粧部材を配置し、前記アリ状突起を各板材のアリ溝に係合させるとともに、該化粧部材の取付孔に挿通した前記締結ボルトを前記連結杆の螺孔に螺合して前後から締結してなるだけで、板材を連結手段を介して簡単且つ強固に連結することができ、また化粧部材を連結杆に締結する前の状態でも係合部材によって複数の板材を連結杆を介して仮連結することができ、レイアウトの確認作業も容易である。
【００１６】
請求項３によれば、連結杆を介して板材を直線状、Ｌ字状、Ｔ字状、十文字状に連結することができ、多様な連結状態を実現でき、しかも連結杆が板材の連結側端面から突出することがないので、連結杆の露出を最小限に抑制することができる。
【００１７】
請求項４によれば、板材と連結杆との係合部材を介した連結状態を確実に維持することができ、板材の連結側端面の長手方向、つまり連結杆の長手方向への相対変位を規制し、しかも前後両側から化粧部材で係合部材を圧接した状態で締結するので、ガタツキのない連結状態となる。また、連結杆の連結面の４面に板材を連結した状態では、前記連結杆は完全に隠れた状態となり、外観性に優れたものとなる。
【００１８】
請求項５に係る発明の組立式棚装置は、複数の板材を縦横に連結して正面視四角形の収納空間を上下左右に連設可能であり、板材の構造を単純にしてコスト低減化を図り、連結手段による組立・分解作業が容易であり、また連結手段が板材から突出することがなく、外観的にもすっきりとしたものになる。
【図面の簡単な説明】
【００１９】
【図１】本発明に係る組立式棚装置を示す斜視図である。
【図２】板材と連結手段を示す部分分解斜視図である。
【図３】板材を連結手段に連結する状態を示す部分分解断面図である。
【図４】各種の化粧部材の斜視図を示し、（ａ）は十文字状連結部に用いる本体部の４方向にアリ状突起を設けた化粧部材、（ｂ）はＴ字状連結部に用いる本体部の３方向にアリ状突起を設けた化粧部材、（ｃ）はＬ字状連結部に用いる本体部の２方向にアリ状突起を設けた化粧部材、（ｄ）は直線状連結部に用いる本体部の２方向にアリ状突起を設けた化粧部材である。
【図５】板材に連結杆を連結した状態を示し、最下部の連結杆にアジャスターを設けた状態の部分断面図である。
【図６】連結杆にアジャスターを設ける構造を示す部分分解斜視図である。
【図７】板材で囲まれた収納空間内に仕切板を設けて細区画する構造を示す分解斜視図である。
【図８】同じく板材で囲まれた収納空間内に横仕切板を装着し、更に縦仕切板を装着する状態を示した分解斜視図である。
【発明を実施するための形態】
【００２０】
次に、添付図面に示した実施形態に基づき、本発明を更に詳細に説明する。図１は本発明に係る板材と板材の連結構造を用いて構成した組立式棚装置の全体を示し、図２〜図６はその詳細を示し、図７及び図８は収納空間の細区画する構造を示し、図中符号１は、板材、２は連結手段、３は連結杆、４は係合部材、５は化粧部材、６は締結ボルト、７はアジャスターをそれぞれ示している。
【００２１】
本発明の板材と板材の連結構造は、偏平直方体からなる板材１と、板材１と板材１を所定角度で連結する連結手段２とからなり、前記連結手段２は、連結杆３、係合部材４、化粧部材５及び締結ボルト６とからなり、前記板材１の連結側端面８と前記連結杆３の連結面９を接合した状態で、前記係合部材４を前後両側から前記板材１と連結杆３に同時にスライド係合させて該板材１と連結杆３を引き離し方向への変位を規制し、前記連結杆３の両端に前記化粧部材５，５を前記締結ボルト６で締結して前記係合部材４のスライド変位を規制してなることを特徴としている。
【００２２】
更に詳しくは、図１及び図２に示すように、前記板材１の連結側端面８の両端部に、それぞれ該連結側端面８の長手方向に延び且つ板材１の前後側端面１０に開放したアリ溝１１を形成し、該アリ溝１１は前後側端面１０から５０〜６０ｍｍの位置で終端している。前記アリ溝１１は、アリ錐ビットを用いたＮＣルータで加工するので、溝の内壁と終端部の傾斜角度は同じになる。
【００２３】
前記連結杆３は、前記板材１の連結側端面８に接合する連結面９を複数所定角度で備え、各連結面９の中央部には長手方向へ延びた係合溝１２を有するとともに、両端の中央部には螺孔１３を有している。具体的には、前記連結杆３は、前記板材１の連結側端面８の横幅と略一致する横幅を有する連結面９を４面有する四角柱形状のアルミ押出し型材であり、各連結面９には開口縁に内向きに突条１４，１４が張り出した形状の前記係合溝１２を有し、断面の中央部には断面Ｃ字孔部１５を形成して前記螺孔１３を形成する。
【００２４】
前記係合部材４は、前記連結杆３の係合溝１２に前記連結面９から離れる方向への変位を規制してスライド係合する係合部１６と、前記板材１のアリ溝１１に係合する断面逆台形状のアリ部１７とを有し、先端は前記アリ溝１１の終端部に嵌合する形状にカットしている。前記係合部材４の係合部１６には、前記連結杆３の係合溝１２の突条１４，１４に係合する溝部１８，１８を両側に形成し、該係合溝１２に係合部１６をスライド係合させた状態で、連結面９から離れる方向への変位を規制している。
【００２５】
前記化粧部材５は、前記連結杆３の端部を覆う四角形の本体部１９に、前記板材１のアリ溝１１に係合する断面逆台形状のアリ状突起２０を所定数突設するとともに、本体部１９の中央部に前記締結ボルト６を挿通する取付孔２１を形成している。ここで、前記化粧部材５の本体部１９は、前記連結杆３の外形と一致し、厚みは１５ｍｍとしている。また、前記化粧部材５の取付孔２１は、前記締結ボルト６の頭部を収容できる座グリ孔としている。
【００２６】
本実施形態のように、四角柱形状の前記連結杆３を用いる場合には、前記連結杆３を介して板材１，…を直線状、Ｌ字状、Ｔ字状、十文字状に連結することができ、板材１を連結しない面には前記アリ状突起２０は不要であるので、図４に示すような種類の化粧部材５を用意する。図４（ａ）は十文字状連結部に用いる化粧部材５Ａを示し、本体部１９の４方向にアリ状突起２０，…を設けた形状である。図４（ｂ）はＴ字状連結部に用いる化粧部材５Ｂを示し、本体部１９の３方向にアリ状突起２０，…を設けた形状である。図４（ｃ）はＬ字状連結部に用いる化粧部材５Ｃを示し、本体部１９の隣接する２方向にアリ状突起２０，２０を設けた形状である。図４（ｄ）は直線状連結部に用いる化粧部材５Ｄを示し、本体部１９の対向する２方向にアリ状突起２０，２０を設けた形状である。通常は、化粧部材５Ａ，５Ｂ，５Ｃを用いれば十分である。
【００２７】
そして、図２、図３及び図５に示すように、前記板材１の連結側端面８と前記連結杆３の連結面９を接合し、前記係合部材４の係合部１６を前記連結杆３の係合溝１２に、前記係合部材４のアリ部１７を前記板材１のアリ溝１１に同時に前後方向からスライド係合させた状態で、前記連結杆３の両端部に前記化粧部材５を配置し、前記アリ状突起２０，…を各板材１，…のアリ溝１１，…に係合させるとともに、該化粧部材５の取付孔２１に挿通した前記締結ボルト６を前記連結杆３の螺孔１３に螺合して前後から締結して、複数の前記板材１，…を、前記連結杆３を介して連結するのである。
【００２８】
ここで、前記連結杆３の長さは、両端に前記化粧部材５，５を締結した状態で前記板材１の連結側端面８の長さに略一致するように設定するとともに、前記係合部材４の長さは、前記板材１のアリ溝１１の終端部までアリ部１７を係合した状態で、前記連結杆３の端部に締結した前記化粧部材５のアリ状突起２０に圧接するように設定している。それにより、前記連結杆３の両端に締結した前記化粧部材５，５のアリ状突起２０で、前記係合部材４を介して前記板材１の前後部を挟持し、該板材１と連結杆３の長手方向に対する相対変位を規制し、ガタツキのない確実な連結状態を得るのである。
【００２９】
図１に示すように、多数の前記板材１，…を、前記連結手段２を介して縦横に連結し、正面視四角形の収納空間を上下左右に連設した収納棚を構築することができ、そのレイアウトには大きな自由度がある。
【００３０】
図１に示すように、収納棚を構築した場合、最下部に位置する前記連結杆３には、高さ調節のためのアジャスター７を設けることが好ましい。このアジャスター７は、図５及び図６に示すように、前記連結杆３の下面に位置する連結面９に円形穴２２を穿設し、該円形穴２２にアジャスター受け２３の円筒部２４を挿入し、フランジ部２５を下面にネジ止めし、前記アジャスター受け２３の円筒部２４に形成した螺孔２６に、アジャスターボルト２７を螺合して構成する。
【００３１】
また、前記収納空間を更に細かく区画する必要があれば、図７及び図８に示すように、横仕切板２８と縦仕切板２９を十文字に交差させて正面視四角形の収納空間内に装着する。具体的には、前記横仕切板２８と縦仕切板２９の中央部にそれぞれスリット溝３０，３１を形成し、前記収納空間を構成する両側の板材１，１の上下中間部に、それぞれピンダボ３２，３２を前後に突設し、前記横仕切板２８の両側を該ピンダボ３２，…に係止した後、前記横仕切板２８のスリット溝３０に縦仕切板２９のスリット溝３１を噛合させながら挿入し、横仕切板２８のスリット溝３０に縦仕切板２９の板部を受け入れ、縦仕切板２９のスリット溝３１に横仕切板２８の板部を受け入れて係合する。こうして、収納空間内で横仕切板２８と縦仕切板２９を十文字に交差させた状態では、横仕切板２８は上下に変位せず安定化する。
【００３２】
最後に、前記連結杆３の連結面９の数は、前述の４面以外にも３面又は６面も可能であり、それぞれ外形が正三角柱形状又は正六角柱形状となる。正三角柱形状の連結杆３を用いれば、正面視六角形の収納空間を形成でき、正六角柱形状の連結杆３を用いれば、正面視三角形の収納空間を形成することが可能である。
【符号の説明】
【００３３】
１  板材
２  連結手段
３  連結杆
４  係合部材
５，５Ａ，５Ｂ，５Ｃ，５Ｄ  化粧部材
６  締結ボルト
７  アジャスター
８  連結側端面
９  連結面
１０  前後側端面
１１  アリ溝
１２  係合溝
１３  螺孔
１４  突条
１５  字孔部
１６  係合部
１７  アリ部
１８  溝部
１９  本体部
２０  アリ状突起
２１  取付孔
２２  円形穴
２３  アジャスター受け
２４  円筒部
２５  フランジ部
２６  螺孔
２７  アジャスターボルト
２８  横仕切板
２９  縦仕切板
３０  スリット溝
３１  スリット溝
３２  ピンダボ
【図１】
0006610148.tif 000002
【図２】
0006610148.tif 000003
【図３】
0006610148.tif 000004
【図４】
0006610148.tif 000005
【図５】
0006610148.tif 000006
【図６】
0006610148.tif 000007
【図７】
0006610148.tif 000008
【図８】
0006610148.tif 000009